(57)【特許請求の範囲】
【請求項１】
内部に発光ダイオードが設けられた花弁と、前記花弁を支持する手切断具で切断可能な茎と、前記発光ダイオードの電極にそれぞれ接続する第１のリード線と第２のリード線とを備えた電飾造花において、
前記第１のリード線と前記第２のリード線とは、絶縁体を介して前記茎の外面に茎長に沿って設けられ、少なくともその外表面が導電体であり、手切断具で切断可能な材料で形成されていることを特徴とする電飾造花。
【請求項２】
前記第１のリード線と前記第２のリード線とが、絶縁材料で形成された前記茎の一部として、前記茎と一体成形されていることを特徴とする請求項１に記載の電飾造花。
【請求項３】
前記第１のリード線と第２のリード線が、手切断具で切断可能な導電材料で形成されていること特徴とする請求項１又は２に記載の電飾造花。
【請求項４】
前記導電材料が、導電性ゴム、導電性樹脂、金属線であることを特徴とする請求項３に記載の電飾造花。
【請求項５】
前記茎の切断面は楕円形状であり、その長径方向の両端部に、前記第１のリード線と前記第２のリード線とが設けられていることを特徴とする請求項１から４のいずれかに記載の電飾造花。
【請求項６】
前記発光ダイオードを囲むように拡散板が設けられていることを特徴とする請求項１から５のいずれかに記載の電飾造花。
【請求項７】
前記拡散板が、開閉可能な花弁形状であることを特徴とする請求項６に記載の電飾造花。
【請求項８】
所定の周波数の交流電圧で発光可能な手段を備えたことを特徴とする請求項１から７のいずれかに記載の電飾造花。
【請求項９】
前記交流電圧で発光可能な手段が、前記発光ダイオードに逆方向電圧が印加された際に、前記発光ダイオードを保護する保護回路であることを特徴とする請求項８に記載の電飾造花。
【請求項１０】
請求項１から９のいずれかに記載の電飾造花に電源を供給する電飾造花用電源供給装置であって、
前記発光ダイオードに電源を供給する電源供給回路と、
前記茎が挿通する複数の開口を備えた上基板と、
前記上基板から所定の離隔により設けられ、前記茎が挿通する複数の開口を備えた下基板と、
前記上基板と前記下基板とを、所定の離隔で支持する支持材と、
前記上基板の裏面にあって、前記開口の両端に設けられ、前記電源供給回路の出力端子に接続する第１のコイル状電極と、前記電源供給回路の他の出力端子に接続する第２のコイル状電極と
を備えたことを特徴とする電飾造花用電源供給装置。
【請求項１１】
前記開口が楕円形であり、その両端に前記第１のコイル状電極と、第２のコイル状電極とが、前記開口の一部を埋めるように設けられていることを特徴とする請求項１０に記載の電飾造花用電源供給装置。
【請求項１２】
前記上基板と前記下基板との離隔の可変手段を備えたことを特徴とする請求項１０又は１１に記載の電飾造花用電源供給装置。
【請求項１３】
前記電源供給回路は、直流電圧を所定周期の交流パルス電圧に変換する回路であることを特徴とする請求項１０から１２のいずれかに記載の電飾造花用電源供給装置。
【請求項１４】
請求項１から９のいずれかに記載の電飾造花と、
請求項１０から１３のいずれかに記載の電飾造花用電源供給装置と
を備えたことを特徴とする電飾造花用照明装置。



















【発明の詳細な説明】
【技術分野】
【０００１】
本発明は、ＬＥＤ（Light Emitting Diode／発光ダイオード）等の電気照明を利用した電飾造花に関し、一般消費者向け、結婚式、葬儀、イベント等の際に用いられる生花に代えて、又は生花と共用して使用可能な、装飾効果を備えた電飾造花、及びその電飾造花に用いられる電源供給装置、並びにそれらを用いた電飾造花用照明装置に関する。
【背景技術】
【０００２】
結婚式、葬儀、あるいは新規店舗の開店などのイベントには、様々な種類の生花が大量に使用される。白色や紫色を基調とした生花は、神聖で荘厳な雰囲気を醸し出す。また、新鮮であざやかな生花は、希望に満ちた明るい雰囲気を醸し出す。式辞における花の果たす役割は非常に大きいが、生花によりその場の雰囲気を醸し出すには、大量の色とりどりの花を使用する必要がある。一方において、それに要する費用は少なくなく、また、生花は傷みやすく、傷んだ後は廃棄するしかない。
【０００３】
このため、大量の生花を使用せずとも華やかな装飾効果を発揮することができるものとして、電飾造花の技術が開示されている。例えば、下記特許文献１には、弔事用電飾造花の考案が開示されている。特許文献１の電飾造花は、花弁状に形成された複数の花弁部と、花芯部に雌しべを模して配設される発光部と、発光部に電力を供給するための電源を内蔵する電源ユニットとを備え、花弁部は、発光部を覆い隠すように形成され、発光部は、時間の経過とともにその発光色を変化させるＬＥＤからなるものである。特許文献１によれば、造花の美観を損ねることなく、十分な装飾効果を得ることができる電飾造花を得ることができるとされている。
【０００４】
しかし、特許文献１に記載の造花は茎部を有さない花弁のみからなる電飾造花である。そのため、例えば、葬儀の参列者が、手に持った造花を祭壇に設けられたプランターに活け、その行為により造花が点灯し、故人に対する哀悼の意が演出されるといった、供花から点灯までの一連の行為を通して、神聖で荘厳な雰囲気を醸し出すような演出を行うことはできない。また、特許文献１に記載の造花は、電飾造花の内部に電源を内蔵しているため、葬儀参列者に電飾花を配ることができないという問題がある。
【０００５】
一方、ＬＥＤを特殊なボードに刺すことにより、多数のＬＥＤを発光させる技術が下記特許文献２に開示されている。特許文献２が開示する技術は、必ずしも電飾造花に限定されるものではないが、かかる技術を造花として用いることで電飾造花となる。
【０００６】
特許文献２においては、一対のリードを有する複数の発光ダイオードを電源供給シートに刺すことにより、発光ダイオードを点灯させる技術が開示されている。電源供給シートは、可撓性絶縁層と、この可撓性絶縁層の一方の面に積層している第１導電層と、他方の面に積層している第２導電層とを備えており、発光ダイオードの第１リードは、電源供給シートに開口した挿通部を通過して、第１平行接触部を第１導電層に面接触させている。
【０００７】
発光ダイオードの第２リードは、電源供給シートに開口した挿通部を通過して、第２平行接触部を第２導電層に面接触させている。このような構造により、第１リードを第１導電層に、第２リードを第２導電層に電気接続させ、発光ダイオードが発光する。
【０００８】
しかし、特許文献２に記載の技術は、絶縁層を挟んでその両側に第１の導電層と第２の導電層からなる電源供給シートを設け、それぞれにＬＥＤの正負の電極を刺すことで導通させ、発光ダイオードを発光させるというものである。このため、電源供給シートの構成が複雑であり、また導電層は導電性を有しかつ弾性が必要となる。
【０００９】
さらに、かかる電源供給シートを、例えば、葬儀の祭壇に設けたプランターに設置した場合、多数のＬＥＤが繰り返し刺されることにより、部分的に穴が大きくなるところが生じ、電源供給シートが傷んでくる。しかし、特許文献２に記載の電源供給シートでは、その交換は容易でなく、かつコスト高になるという問題がある。
【００１０】
さらに、これまでの電飾造花は、それを切り花として使うことができない、という問題がある。即ち、これまでの電飾造花は、活け花用に使われている切り花のごとく、その茎の長さを自在に調整することができない。活け花には多くの流派があり、種々の切り花を混ぜて、形姿に華美を加える。そのため、活け花は、それを行う人が、切り花を選び、その切り花の茎長をその人の感性により、挟み等により自在にカットし活けることで完成する。しかし、これまでの電飾造花においては、そのようなことを行うことができない、という問題がある。
【先行技術文献】
【特許文献】
【００１１】
【特許文献１】実用新案登録第３１２３８４１号公報
【特許文献２】特開２００６−２１０３３６号公報
【発明の概要】
【発明が解決しようとする課題】
【００１２】
そこで、本発明は、かかる従来技術の問題点に鑑みなされたもので、結婚式、葬儀等において、大量の生花と照明用の電力を使用することなく用いることができる電飾造花、あるいは家庭等で活け花を楽しむとき、切り花のように茎長を鋏等で自在に調整できる電飾造花、及びそれに用いる電源供給装置、並びに電飾造花と電源供給装置とからなる電飾造花用照明装置を提供することにある。
【課題を解決するための手段】
【００１３】
請求項１に記載の発明は、電飾造花であって、内部に発光ダイオードが設けられた花弁と、前記花弁を支持する手切断具で切断可能な茎と、前記発光ダイオードの電極にそれぞれ接続する第１のリード線と第２のリード線とを備えた電飾造花において、前記第１のリード線と前記第２のリード線とは、絶縁体を介して前記茎の外面に茎長に沿って設けられ、少なくともその外表面が導電体であり、手切断具で切断可能な材料で形成されていることを特徴とする。
【００１４】
請求項２に記載の発明は、請求項１に記載の電飾造花であって、前記第１のリード線と前記第２のリード線とが、絶縁材料で形成された前記茎の一部として、前記茎と一体成形されていることを特徴とする。
【００１５】
請求項３に記載の発明は、請求項１又は２に記載の電飾造花であって、前記第１のリード線と第２のリード線が、手切断具で切断可能な導電材料で形成されていること特徴とする。
【００１６】
請求項４に記載の発明は、請求項１から３のいずれかに記載の電飾造花であって、前記導電材料が、導電性ゴム、導電性樹脂、金属線であることを特徴とする。
【００１７】
請求項５に記載の発明は、請求項１から４のいずれかに記載の電飾造花であって、前記茎の切断面は楕円形状であり、その長径方向の両端部に、前記第１のリード線と前記第２のリード線とが設けられていることを特徴とする。
【００１８】
請求項６に記載の発明は、請求項１から５のいずれかに記載の電飾造花であって、前記発光ダイオードを囲むように拡散板が設けられていることを特徴とする。
【００１９】
請求項７に記載の発明は、請求項６に記載の電飾造花であって、前記拡散板が、開閉可能な花弁形状であることを特徴とする。
【００２０】
請求項８に記載の発明は、請求項１から７のいずれかに記載の電飾造花であって、所定の周波数の交流電圧で発光可能な手段を備えたことを特徴とする。
【００２１】
請求項９に記載の発明は、請求項１から８のいずれかに記載の電飾造花であって、前記交流電圧で発光可能な手段が、前記発光ダイオードに逆方向電圧が印加された際に、前記発光ダイオードを保護する保護回路であることを特徴とする。
【００２２】
請求項１０に記載の発明は、請求項１から９のいずれかに記載の電飾造花に電源を供給する電飾造花用電源供給装置であって、前記発光ダイオードに電源を供給する電源供給回路と、前記茎が挿通する複数の開口を備えた上基板と、前記上基板から所定の離隔により設けられ、前記茎が挿通する複数の開口を備えた下基板と、前記上基板と前記下基板とを、所定の離隔で支持する支持材と、前記上基板の裏面にあって、前記開口の両端に設けられ、前記電源供給回路の出力端子に接続する第１のコイル状電極と、前記電源供給回路の他の出力端子に接続する第２のコイル状電極とを備えたことを特徴とする。
【００２３】
請求項１１に記載の発明は、請求項１０に記載の電飾造花用電源供給装置であって、前記開口が楕円形であり、その両端に前記第１のコイル状電極と、第２のコイル状電極とが、前記開口の一部を埋めるように設けられていることを特徴とする。
【００２４】
請求項１２に記載の発明は、請求項１０又は１１に記載の電飾造花用電源供給装置であって、前記上基板と前記下基板との離隔の可変手段を備えたことを特徴とする。
【００２５】
請求項１３に記載の発明は、請求項１０から１２のいずれかに記載の電飾造花用電源供給装置であって、前記電源供給回路は、直流電圧を所定周期の交流パルス電圧に変換する回路であることを特徴とする。
【００２６】
請求項１４に記載の発明は、電飾造花用照明装置であって、請求項１から９のいずれかに記載の電飾造花と、請求項１０から１３のいずれかに記載の電飾造花用電源供給装置とを備えたことを特徴とする。
【発明の効果】
【００２７】
本発明によれば、結婚式、葬儀等において、大量の生花と照明用の電力を使用することなく使用可能な電飾造花を提供することができる。また、家庭等で活け花を楽しむとき、切り花のように茎長を鋏等で自在に調整可能な電飾造花、及びそれに用いる電源供給装置、並びに電飾造花と電源供給装置とからなる電飾造花用照明装置を提供することができる。
【図面の簡単な説明】
【００２８】
【図１】本発明の一実施形態である電飾造花の一実施例の構造等を示した図。
【図２】電飾造花の他の実施例の構造を示した図。
【図３】電源供給装置の一実施例を示した図。
【図４】電源供給装置を構成する上基板の表面、及び裏面の平面図。
【図５】開口に電飾造花の茎を挿通したときのリード線とコイル状電極との接触状態を示した図。
【図６】電源供給装置を設けたプランターに電飾造花を活けたときの断面図。
【図７】電源供給装置に電力を供給する電源供給回路の回路等を示した図。
【図８】電源供給回路から出力されるパルス電圧を示した図。
【発明を実施するための形態】
【００２９】
本発明の一実施形態について、図面を参照しながら詳細に説明するが、本発明はこれに限定されるものではない。図１は、本発明の一実施形態である電飾造花１０の一実施例である。図１（ａ）は電飾造花１０−１の全体構造図を示したものであり、図１（ｂ）は点灯制御回路１１２を含むＬＥＤ１１１の回路構成を示した図である。また、図１（ｃ）は電飾造花１０−１の茎１１３の断面図である。
【００３０】
電飾造花１０−１は、図１（ａ）に示すように、花びら１１８とその内部に収納されているＬＥＤ１１１、花びら１１８等を支える絶縁性の材料からなる茎１１３、ＬＥＤ１１１の第１のリード線１１４、第２のリード線１１５等から構成されている。なお、茎１１３の中心には、この実施例においては茎１１３を保持するための、例えば針金等からなる茎芯１１６が設けられている。
【００３１】
図１（ａ）に示すように、花びら１１８に内包されているＬＥＤ１１１の一方の電極には、点灯制御回路１１２を介して、第１のリード線１１４が接続し、それが茎１１３の長手方向（茎長という）に沿って、ほぼその端部まで延びている。また、ＬＥＤ１１１の他方の電極には、点灯制御回路１１２を介し、第２のリード線１１５が接続し、それが茎１１３の茎長に沿って、そのほぼ端部まで延びている。なお、図１（ａ）においては、茎芯１１６が突出し、第１のリード線１１４、第２のリード線１１５は茎芯の端部まで延びていないが、それらの端部を揃えるような構成としても良い。
【００３２】
図１（ｂ）にＬＥＤ１１１の回路構成を示す。ＬＥＤは、本来、直流電圧により発光するが、後述するように本発明の電飾造花１０においては、５００Ｈｚから１ｋＨｚ程度のパルス電圧で発光することを特徴としている。そのため、ＬＥＤ１１１の電極端部には、保護ダイオード１３０がブリッジされている。
【００３３】
例えば、第１のリード線１１４を電源供給装置の高電位側に接続し、第２のリード線１１５を低電位側に接続する。これにより、第１のリード線に第２のリード線よりも高電圧が印加されたときのみ、ＬＥＤ１１１に電流が流れＬＥＤ１１１が発光する。逆電圧が印加されたときは、保護ダイオード１３０に電流が流れ、ＬＥＤ１１１には電流が流れない。これにより、ＬＥＤ１１１に逆電圧がかかっても壊れないよう、その保護が図られている。なお、点灯制御回路１１２内の抵抗は電流制限用の抵抗であり、電源供給装置については後述する。
【００３４】
電飾造花１０−１の茎１１３の断面を図１（ｃ）に示す。電飾造花１０−１の茎１１３の断面形状を、中心部に茎芯１１６を設け、茎芯１１６を囲むようにポリエチレン、ポリスチレン、ポリプロピレン、ポリオレフィン等、プラスチック系の絶縁材料により、楕円形状に形成することは好ましい。そして、楕円の長径方向の両端部に、第１のリード線１１４、第２のリード線１１５を形成することは好ましい。さらに、茎芯１１６には、例えば硬度の高いゴムを材料として用いても良い。また、第１のリード線１１４、第２のリード線１１５を導電性ゴムにより形成することは好ましい。
【００３５】
このような構成にすることにより、茎芯１１６と茎１１３、及び第１のリード線、第２のリード線とを一体として成形することが容易となる。また、茎１１３の断面形状を楕円にすることにより、後述する電源をＬＥＤ１１１に供給するコイル状電極と、第１のリード線、第２のリード線との接触を確実に行わせることができる。
【００３６】
図２は、電飾造花１０の他の実施例である電飾造花１０−２の構造を示す。図１に示す電飾造花１０−１との違いは、花びら１１８の内部にＬＥＤ１１１を覆うように拡散板１１７が設けられていることにある。ＬＥＤの光は指向性が非常に高いため、図１に示す電飾造花１０−１の場合、ＬＥＤ１１１の光のほとんどは上方向に放射される。このため、花びら１１８の全体を、ふんわりと光らせることができない。しかし、図２（ａ）に示すように、拡散板１１７によりＬＥＤ１１１を覆えば、花びら１１８の全体をふんわりと光らせることができる。
【００３７】
図２（ｂ）は、拡散板１１７が開いたときの状態を示した図である。このように花びら形状の拡散板１１７を開閉可能とすることで、ＬＥＤ１１１を設置するときには拡散板１１７を開き、設置後は閉じるといった用い方ができる。また、拡散板１１７を開閉可能とすることで、そのときの状況に応じた発光させるという使い分けも可能となる。
【００３８】
図３は、図１に示す電飾造花１０−１、あるいは図２に示す電飾造花１０−２に用いられる電源供給装置２０の一実施例を示した図である。図３（ａ）は電源供給装置２０の斜視図であり、図３（ｂ）はその断面図である。
【００３９】
図３に示すように、電源供給装置２０は、電飾造花１０−１が挿通される上基板２００、上基板２００に挿通された電飾造花１０−１の端部を受け止める下基板３００、上基板２００と下基板３００との一定の離隔をもって支持する支持材５０、そして上基板２００の裏面に形成されているコイル状電極４０、４１等により構成されている。なお、コイル状電極４０、４１は、電源供給回路４００にそれぞれ接続している。
【００４０】
図４は、上基板２００の表面２１０（図４（a））、及び裏面２２０（図４（ｂ））の平面図である。図４（ａ）に示すように、上基板２００の表面２１０には楕円形状の開口２０１が複数形成されている。かかる開口２０１に挿通させることで、電飾造花１０を活ける。また、図４（ｂ）に示すように裏面２２０には、楕円形状の開口２０１の長径方向の両端に、コイル状電極４０、４１が形成されている。開口２０１に挿通して活けられた電飾造花１０は、図３（ｂ）に示すように、第１のリード線１１４がコイル状電極４０と接触し、第２のリード線１１５がコイル状電極４１に接触する。なお、電飾造花１０は、下基板３００によっても支持されるため、下基板３００の開口３０１と上基板２００の開口２０１とが対になるように、同じ楕円形状の開口を設けることが好ましい。
【００４１】
図５は、開口２０１に電飾造花１０の茎１１３を挿通したときの、第１のリード線１１４とコイル状電極４０、第２のリード線１１５とコイル状電極４１との接触状態を示した図である。電飾造花１０を点灯させる上で、最も重要なことは、第１のリード線１１４、第２のリード線１１５が電源を供給する電極と確実に接触し、多少の振動では接触状態が外れないことである。この実施例においては、上述した通り、電飾造花１０の茎１１３は楕円形状で構成されており、その両端には第１のリード線１１４と第２のリード線１１５が形成されている。そのため、上基板２００に設けられた楕円形状の開口２０１に挿通された電飾造花１０の茎１１３に設けられた第１のリード線１１４と第２のリード線１１５は、図５に示すように、上基板２００の裏面２２０に設けられたコイル状電極４０、４１の一部に食い込むようにして、コイル状電極４０、４１と接触する。これにより、第１のリード線１１４、第２のリード線１１５と電源を供給するコイル状電極４０、４１とが確実かつ低抵抗で接続される。
【００４２】
図６は、電源供給装置２０をプランター１２０に設け、そこに電飾造花１０−１を活けたときの断面図である。電飾造花１０−１を活ける本数や、電飾造花１０−１の長さにより、プランター１２０の大きさを変える必要がある。また、電飾造花１０−１の茎長が長いときは、茎１１３をしっかり支持しないと、転倒する恐れが生じる。
【００４３】
そのためには、電源供給装置２０の上基板２００と下基板３００との離隔を大きく取る必要がある。また、下基板３００とプランター１２０の底との離隔も、大きくとることが好ましい。そのためには、電飾造花１０−１の大きさ（長さ）に対応して、支持材５０に沿って、上基板２００と下基板３００の位置を可変できる構造としておくことが好ましい。
【００４４】
図７は、電源供給装置２０に電力を供給する電源供給回路４００の回路図等である。ここで、図７（ａ）は電源供給回路４００のブロック図である。電源供給回路４００は、バッテリーと接続する外部端子を有する発振回路１２１、それに接続する増幅回路Ａ１２０ａと増幅回路Ｂ１２０ｂとから構成されている。発振回路１２１により、バッテリーから供給される直流電圧は、所定の周期のパルス電圧に変換される。
【００４５】
電源供給回路４００から出力されるパルス電圧は、図８に示すようなパルス電圧である。発光ダイオードは直流で発光させるものであるが、５００Ｈｚ以上であれば、交流であっても、発光ダイオードのちらつきを感じない。一方、１ｋＨｚ以上の周波数とするのは実用的でない。この実施例では、周期が２ｍｓ、正電圧＋５Ｖ、負電圧０Ｖのパルス交流を用いたが、正弦波交流を用いても良い。なお、パルス交流を用いた方が、ＬＥＤ１１１のＯＮ、ＯＦＦの切替えがよりシャープとなる。
【００４６】
図７（ｂ）は、図７（ａ）に示す電源供給回路４００のブロック図に対応する回路構成の一例を示した図である。図３に示す電源供給装置２０の開口２０１に、電飾造花１０を挿通させた場合、挿通させる方向によって、ＬＥＤ電極１がコイル状電極４０に、ＬＥＤ電極２がコイル状電極４１に接触する場合と、その逆の場合とが生じる。
【００４７】
図７（ｂ）は、状態１（ＬＥＤ電極１が増幅回路Ａ１２０ａの出力端子に接続し、ＬＥＤ電極２が増幅回路Ｂ１２０ｂの出力端子に接続）で接続する場合を示す。また、図７（ｃ）は状態２（ＬＥＤ電極１が増幅回路Ｂ１２０ｂの出力端子に接続し、ＬＥＤ電極２が増幅回路Ａ１２０ａの出力端子に接続）で接続する場合を示す。このように、状態１と状態２の２つの状態が生じるのは、電飾造花１０の茎１１３が楕円であり、また電源供給装置２０の開口２０１も同様に楕円であるため、どちらの向きでも開口２０１に刺すことができるためである。
【００４８】
このため、第１のリード線１１４がコイル状電極４０と接触し、第２のリード線１１５がコイル状電極４１に接触する、即ち、図７（ｂ）に示す状態１となる場合と、第２のリード線１１５がコイル状電極４０と接触し、第１のリード線１１４がコイル状電極４１に接触する、即ち、図７（ｃ）に示す状態２となる場合とがある。
【００４９】
図７（ｂ）に示す状態１にあっては、図８に示す上段のパルス、即ち、増幅回路Ａ１２０ａのプラス側のトランジスタがＯＮとなり、ＬＥＤ１１１が発光することになる。一方、増幅回路Ｂ１２０ｂの出力時には保護ダイオード１３０が通電することで、ＬＥＤ１１１には逆方向の電圧が印加されず保護される。
【００５０】
これとは逆に、図７（ｃ）に示す状態２にあっては、図８に示す下段のパルス、即ち、増幅回路Ｂ１２０ｂのプラス側のトランジスタがＯＮとなり、ＬＥＤ１１１が発光することになる。一方、増幅回路Ａ１２０ａの出力時には保護ダイオード１３０が通電することで、ＬＥＤ１１１には逆方向の電圧が印加されず保護される。このときの電流の流れが図７（ｃ）に示すものである。
【００５１】
電源供給回路４００をこのように構成することにより、電飾造花１０がいずれの方向で電源供給装置２０に挿通されたとしてもＬＥＤ１１１を発光させることができ、かつ損傷させることがない。
【符号の説明】
【００５２】
１０…電飾造花
２０…電源供給装置
４０，４１…コイル状電極
５０…支持材
１１１…ＬＥＤ
１１２…点灯制御回路
１１３…絶縁体の茎
１１４…第１のリード線
１１５…第２のリード線
１１６…茎芯
１１７…拡散板
１１８…花びら
１２０ａ，１２０ｂ…増幅回路
１２１…発振回路
１３０…保護ダイオード
２００…上基板
２０１，３０１…開口
３００…下基板
４００…電源供給回路
【図１】
0005511055.tif 000002
【図２】
0005511055.tif 000003
【図３】
0005511055.tif 000004
【図４】
0005511055.tif 000005
【図５】
0005511055.tif 000006
【図６】
0005511055.tif 000007
【図７】
0005511055.tif 000008
【図８】
0005511055.tif 000009